(57)【要約】【課題】光双方向ラインスイッチリング（ＢＬＳＲ）用伝送装置及びスルークロスコネクト設定方法に関し、ハードウェアの改版を伴うことなく、ソフトウェア又はファームウェアのみの対応で、通過（スルー）局のクロスコネクト設定を自動的に行う。【解決手段】光双方向ラインスイッチリング（ＢＬＳＲ）伝送システムにおいて、送信元ノードＡではユーザーがクロスコネクト設定とともにスケルチ情報を設定し、送信元ノードＡが該スケルチ情報を通過ノードＢに送信し、通過ノードＢは該スケルチ情報を基にクロスコネクトの設定及びスケルチテーブルの構築を自動的に行う。通過ノードＣも同様に動作する。送信先ノードＤはスケルチ情報を基に自ノードが送信先であることを認識し、ユーザーに送信元ノードＡからのクロスコネクト設定の要求がある旨のメッセージをユーザーに通知し、ユーザーは該通知により送信先ノードＤのクロスコネクトの設定を行う。【選択図】図１
2008182616.tif 000002
【特許請求の範囲】
【請求項１】
複数のノードがリング状に接続された光双方向ラインスイッチリング伝送システムにおいて、
クロスコネクトを設定する信号経路の送信元ノードから、スケルチテーブル構築用の情報領域として光オーバーヘッドに設けられているスケルチ情報領域に、送信元ノード及び送信先ノードの識別情報を格納したスケルチ情報を隣接ノードに送信する手段と、
前記スケルチ情報を受信したノードでは、該スケルチ情報の送信元ノード及び送信先ノードの識別情報並びに光オーバーヘッドの設定情報から判定したコンカテネーション種別を基に、クロスコネクト設定情報を割り出し、自ノードが前記クロスコネクトの送信先ノードであるか通過ノードであるかを判定し、通過ノードであると判定された場合に、前記クロスコネクト設定情報を基に、自ノードにおけるスルークロスコネクトの設定を実行する手段と、
自ノードが前記クロスコネクトの送信先ノードであると判定された場合に、クロスコネクトの設定の要求が有る旨のメッセージをユーザーに対して通知する手段と、
を備えたことを特徴とする光双方向ラインスイッチリング伝送システム。
【請求項２】
前記スケルチ情報領域に格納された情報を、クロスコネクトの設定がなされていないときにはクロスコネクト設定用の情報として扱い、クロスコネクトの設定が既になされているときにはスケルチテーブル構築用の情報として扱うことを特徴とする請求項１に記載の光双方向ラインスイッチリング伝送システム。
【請求項３】
光双方向ラインスイッチリング伝送システムの各ノードの伝送装置において、
スケルチテーブル構築用の情報領域として光オーバーヘッドに設けられているスケルチ情報領域に、クロスコネクトを設定する送信元ノード及び送信先ノードの識別情報を格納したスケルチ情報を隣接ノードに送信する手段と、
前記スケルチ情報領域に格納された送信元ノード及び送信先ノードの識別情報並びに光オーバーヘッドの設定情報から判定したコンカテネーション種別を基に、クロスコネクト設定情報を割り出す手段と、
前記クロスコネクト設定情報を基に、自装置が前記クロスコネクトの送信先ノードの伝送装置であるか通過ノードの伝送装置であるかを判定し、通過ノードの伝送装置であると判定された場合に、前記クロスコネクト設定情報を基に、自装置におけるスルークロスコネクトの設定を実行する手段と、
前記クロスコネクト設定情報を基に、自装置が前記クロスコネクトの送信先ノードの伝送装置であると判定された場合に、クロスコネクトの設定の要求が有る旨のメッセージをユーザーに対して通知する手段と、
を備えたことを特徴とする伝送装置。
【請求項４】
前記スケルチ情報領域に格納された情報を、クロスコネクトの設定がなされていないときにはクロスコネクト設定用の情報として扱い、クロスコネクトの設定が既になされているときにはスケルチテーブル構築用の情報として扱うことを特徴とする請求項３に記載の伝送装置。
【請求項５】
複数のノードがリング状に接続された光双方向ラインスイッチリング伝送システムのスルーコネクト設定方法において、
クロスコネクトを設定する信号経路の送信元ノードから、スケルチテーブル構築用の情報領域として光オーバーヘッドに設けられているスケルチ情報領域に、送信元ノード及び送信先ノードの識別情報を格納したスケルチ情報を隣接ノードに送信するステップと、
前記スケルチ情報を受信したノードでは、該スケルチ情報の送信元ノード及び送信先ノードの識別情報並びに光オーバーヘッドの設定情報から判定したコンカテネーション種別を基に、クロスコネクト設定情報を割り出し、自ノードが前記クロスコネクトの送信先ノードであるか通過ノードであるかを判定し、通過ノードであると判定された場合に、前記クロスコネクト設定情報を基に、自ノードにおけるスルークロスコネクトの設定を実行するステップと、
自ノードが前記クロスコネクトの送信先ノードであると判定された場合に、クロスコネクトの設定の要求が有る旨のメッセージをユーザーに対して通知するステップと、
を含むことを特徴とするスルーコネクト設定方法。
【発明の詳細な説明】
【技術分野】
【０００１】
本発明は、光双方向ラインスイッチリング（ＢＬＳＲ：Bi-directional Line Switched Ring）伝送システムにおいて、信号の送信元から送信先への信号経路の各通過ノードで設定するクロスコネクトを自動的に設定する光双方向ラインスイッチリング伝送システム、伝送装置及びスルークロスコネクト設定方法に関する。
【背景技術】
【０００２】
光双方向ラインスイッチリング（ＢＬＳＲ）伝送システムについて図５を参照して説明する。図５は、６つの局（ノード）から成る光双方向ラインスイッチトリング（ＢＬＳＲ）伝送システムの構成例を示している。同図に示すように、各局（ノードＡ〜Ｆ）は、２．５Ｇビット（ＯＣ４８）又は１０Ｇビット（ＯＣ１９２）程度の伝送速度の光ファイバでリング状に相互に接続され、それぞれ双方向の伝送経路で信号を送受する。
【０００３】
例として、ノードＡからノードＣへの信号経路を設定するときは、ノードＡ、ノードＢ及びノードＣに対して、“ＣｒｏｓｓＣｏｎｎｅｃｔ”なる信号経路（チャネル）の接続設定を行う。一般的にこの接続設定は、ＳＴＳ１（Synchronous Transport Signal (level)-1）の単位（１．５Ｍビット）で行われる。
【０００４】
光双方向ラインスイッチリング（ＢＬＳＲ）伝送システムは、光ファイバの伝送帯域を、現用回線用（Work）と予備回線用（Protection）とに半分ずつ割り当てることで、冗長回線を形成する。例えば、２．５Ｇビット（ＯＣ４８）の光双方向ラインスイッチリング（ＢＬＳＲ）伝送システムであれば、ＳＴＳ１×４８チャネル分の帯域を有するが、チャネル番号１〜２４のチャネル（ｃｈ１〜２４）を現用回線（Work）に、チャネル番号２５〜４８のチャネル（ｃｈ２５〜４８）を予備回線（Protection）に割り当てる。
【０００５】
図５に示すように、ノードＡとノードＢとの間で現用回線のチャネル（ｃｈ１）に伝送障害が発生したとき、ノードＡは、その障害経路を迂回する形で、予備回線のチャネル（ｃｈ２５）を使用して、ノードＡ→ノードＦ→ノードＥ→ノードＤ→ノードＣ→ノードＢの信号経路を形成し、それによりノードＡ→ノードＣの信号経路が救済される。
【０００６】
ここで、図６を参照してクロスコネクトの設定について説明する。６個のノードから成る光双方向ラインスイッチリング（ＢＬＳＲ）伝送システムの構成例において、同図に示すように、ノードＡからノードＤへの信号経路としてチャネル（ｃｈ１）を設定し、また、ノードＢからノードＣへの信号経路としてチャネル（ｃｈ４）を設定するものとする。
【０００７】
ここで、ノードＡからノードＤへの信号経路であるチャネル（ｃｈ１）は、コンカテネーション（連結）種別がＳＴＳ３Ｃ（ＳＴＳ１を３本束ねたもの）で、ノードＢからノードＣへの信号経路であるチャネル（ｃｈ４）は、コンカテネーション（連結）種別がＳＴＳ１であるとする。この信号経路を設定するためには、ユーザーは各ノードＡ〜Ｄに対して、クロスコネクト設定コマンド“ＥＮＴ−ＣＲＳ・・・”を投入しなければならない。
【０００８】
クロスコネクト設定コマンドは“ＥＮＴ−ＣＲＳ−ＳＴＳｘ：：ＦｒｏｍＡＩＤ，ＴｏＡＩＤ”というコマンド体系で投入される。ここで、ＳＴＳｘはコンカテネーション（連結）種別を表し、ＡＩＤはアクセス識別情報で、送信元又は送信先のノードにおける信号経路の入力側又は出力側ポイントのスロット番号−ポート番号−チャネル番号を表す。
【０００９】
ユーザーはノードＡに対して、チャネル（ｃｈ１）のコンカテネーション（連結）種別ＳＴＳ３、自ノード内の信号挿入ポイントのアクセス識別情報ｘ−ｘ−ｘ、出力側ポイントのアクセス識別情報６−１−１のクロスコネクト設定コマンド“ＥＮＴ−ＣＲＳ−ＳＴＳ３Ｃ：：ｘ−ｘ−ｘ，６−１−１；”を投入する。
【００１０】
また、ノードＢに対して、チャネル（ｃｈ１）のコンカテネーション（連結）種別ＳＴＳ３、入力側ポイントのアクセス識別情報７−１−１、出力側ポイントのアクセス識別情報８−１−１のクロスコネクト設定コマンド“ＥＮＴ−ＣＲＳ−ＳＴＳ３Ｃ：：７−１−１、８−１−１；”を投入する。
【００１１】
また、ノードＣに対して、チャネル（ｃｈ１）のコンカテネーション（連結）種別ＳＴＳ３、入力側ポイントのアクセス識別情報５−２−１、出力側ポイントのアクセス識別情報６−２−１のクロスコネクト設定コマンド“ＥＮＴ−ＣＲＳ−ＳＴＳ３Ｃ：：５−２−１、６−２−１；”を投入する。
【００１２】
また、ノードＤに対して、チャネル（ｃｈ１）のコンカテネーション（連結）種別ＳＴＳ３、入力側ポイントのアクセス識別情報２−１−１、自ノード内の信号分岐ポイントのアクセス識別情報ｘ−ｘ−ｘを表すクロスコネクト設定コマンド“ＥＮＴ−ＣＲＳ−ＳＴＳ３Ｃ：：２−１−１、ｘ−ｘ−ｘ；”を投入する。
【００１３】
更に、ユーザーはノードＢに対して、チャネル（ｃｈ４）のコンカテネーション（連結）種別ＳＴＳ１、自ノード内の信号挿入ポイントのアクセス識別情報ｘ−ｘ−ｘ、出力側ポイントのアクセス識別情報８−１−４のクロスコネクト設定コマンド“ＥＮＴ−ＣＲＳ−ＳＴＳ１：：ｘ−ｘ−ｘ、８−１−４；”を投入する。
【００１４】
また、ノードＣに対して、チャネル（ｃｈ４）のコンカテネーション（連結）種別ＳＴＳ１、入力側ポイントのアクセス識別情報５−２−４、自ノード内の信号分岐ポイントのアクセス識別情報ｘ−ｘ−ｘのクロスコネクト設定コマンド“ＥＮＴ−ＣＲＳ−ＳＴＳ１：：５−２−４、ｘ−ｘ−ｘ；”を投入する。
【００１５】
次にスケルチテーブルの構築について説明する。クロスコネクトの設定完了後、スケルチテーブル（到達可能ノードテーブル）を構築しなければならない。以下にその理由を説明する。図７に示すように例えば、ノードＡとノードＢとの間の伝送路及びノードＣとノードＤとの間の伝送路で伝送路障害が発生した場合、ノードＡからノードＤへの信号経路は、ノードＦ及びノードＥを経由する迂回路によって救済することができるが、ノードＢからノードＣへの信号経路には到達可能な迂回路を形成することができないので救済することができない。
【００１６】
図７の例のように、両側の伝送路に障害が発生したノードＢからの信号は何れのノードにも到達することはないが、２箇所以上の離散したノード間で伝送路障害が発生した場合、該伝送路障害を検出した各ノードはそれぞれ予備回線による迂回路を形成する動作を開始するため、予期せぬノード間で同一のチャネル番号を用いた予備回線による迂回路を設定してしまう場合があり、そのような場合、本来の接続相手ではないノード間で誤接続の信号経路が形成されてしまうこととなる。
【００１７】
このような誤接続による信号送受を防ぐために、予め構築したスケルチテーブル（到達可能ノードテーブル）と伝送路障害発生箇所の情報とを基に、迂回路によって救済することができない信号経路を判定し、該信号経路に出力される信号を全て“１”の論理値信号に変換するなどして信号を潰す処理（スケルチング）を施す必要がある。
【００１８】
このため、各チャネルが「どのノードからどのノードへの信号経路として接続設定されているか」ということを表すスケルチテーブルをそれぞれのノード毎に作成して保持しておく必要がある。該スケルチテーブルは、光オーバーヘッドのＤ５バイト及びＤ６バイトを用いて各チャネルの送信元ノードＩＤ及び送信先ノードＩＤを示すスケルチ情報を各ノード間で送受し、各ノードが該スケルチ情報に基づいてシーケンス手順を実行することによって自動的に構築される。
【００１９】
図８に光オーバーヘッドのＤ５バイト及びＤ６バイトのフォーマットを示す。同図に示すように、Ｄ５＃３バイトに送信元ノード（挿入ノード）のノードＩＤ（ＳｏｕｒｃｅＩＤ）、送信先ノード（分岐ノード）のノードＩＤ（ＤｅｓｔｉｎａｔｉｏｎＩＤ）及びチャネル番号を格納して送信する。
【００２０】
図７に示した構成例では、ノードＡは、信号送信元（挿入ノード）であるので、チャネル番号“１”及び送信元ノードＩＤとして自ノードのＩＤ“０１”を光オーバーヘッドに設定したスケルチ情報（１）を送信する。該スケルチ情報（１）を受信したノードＢ及びノードＣは、チャネル番号“１”のチャネルの送信先として自ノードがクロスコネクト設定されていないので、そのまま該スケルチ情報（１）を後続のノードに中継する。
【００２１】
上記スケルチ情報がノードＤに中継され、スケルチ情報（２）としてノードＤで受信されると、ノードＤはチャネル番号“１”のチャネルの送信先としてクロスコネクトの設定がなされているので、自身が送信先ノード（分岐ノード）であることを示すために、自ノードのノードＩＤ“０１”を送信先ノードＩＤ“０４”として設定し、チャネル番号“１”及び送信元ノードＩＤ“０１”を含むスケルチ情報（３）を応答する。
【００２２】
ノードＤは、上記の応答を返すとともに、当該チャネルｃｈ１の送信元ノードＩＤ（ＳＲＣ）及び送信先ノードＩＤ（ＤＳＴ）をスケルチテーブルに格納することにより、スケルチテーブル７−４を構築する。上記ノードＤからの応答として送信されるスケルチ情報（３）をノードＡで受信すると、ノードＡはノードＩＤ“０１”からノードＩＤ“０４”への信号経路を認識して、スケルチテーブル７−１を構築する。ノードＣ及びノードＢも、通過させたスケルチ情報（３）のデータを基に、当該チャネルｃｈ１の送信元ノードＩＤ（ＳＲＣ）＝“０１”及び送信先ノードＩＤ（ＤＳＴ）＝“０４”を認識し、それらをスケルチテーブルに格納し、スケルチテーブル７−２，７−３を構築する。
【００２３】
図７の例では、ノードＡからノードＤへ、コンカテネーション（連結）種別ＳＴＳ３Ｃ（ＳＴＳ１を３本束ねたもの）の信号経路を、チャネルｃｈ１〜３によりクロスコネクト設定している例を示している。同図に示すように、各ノードＡ〜Ｄは、チャネルｃｈ２及び３についても、チャネルｃｈ１と同様に、各スケルチテーブル７−１〜７−４に、送信元ノードＩＤ（ＳＲＣ）＝“０１”、送信先ノードＩＤ（ＤＳＴ）＝“０４”を格納する。
【００２４】
また、同様に、ノードＢからノードＣへ、コンカテネーション（連結）種別ＳＴＳ１Ｃ（ＳＴＳ１が１本のもの）の信号経路をチャネルｃｈ４によりクロスコネクト設定している場合、同図に示すように、ノードＢ及びノードＣは、チャネルｃｈ４について、スケルチテーブル７−２，７−３に、送信元ノードＩＤ（ＳＲＣ）としてノードＢのノードＩＤ“０２”を、送信先ノードＩＤ（ＤＳＴ）としてノードＣのノードＩＤ“０３”を格納する。
【００２５】
このようにして、各ノードでは、光オーバーヘッドにスケルチ情報として格納される送信元ノード（挿入ノード）のノードＩＤ（ＳｏｕｒｃｅＩＤ）、送信先ノード（分岐ノード）のノードＩＤ（ＤｅｓｔｉｎａｔｉｏｎＩＤ）及びチャネル番号を基に、スケルチテーブルを自動的に構築するように構成されているが、何らかの理由で自動的に構築することができないときのために、手動によりスケルチテーブルを直接編集するためのコマンドも用意されている。
【００２６】
本発明に関連する先行技術文献として、下記の特許文献１には、リングネットワーク上におけるクロスコネクト設定、解除実行時において、ネットワーク管理装置からの要求実行を片方向のパスに対して１回実行するのみで、リングネットワーク内の各ノードへのクロスコネクト設定若しくは解除を行うことができ、また、リングネットワーク上でノード増設を実行した場合や、ノード障害が回復した際に、ネットワーク管理装置からのクロスコネクト設定要求を実行することなく、自動的にクロスコネクト設定が実行されるリングネットワーク伝送システムについて記載されている。
【特許文献１】特開２０００−３５８０５２号公報
【発明の開示】
【発明が解決しようとする課題】
【００２７】
クロスコネクト設定として、ユーザーが行いたいことは、例えば、図６の例では、「チャネルｃｈ１は、ノードＡ（ＩＤ＝“０１”）で信号を挿入し、ノードＤ（ＩＤ＝“０４”）で分岐する。」ということだけが設定されればよい。しかし、実際には、通過（スルー）局であるノードＢ及びノードＣに対してもクロスコネクト設定をしなければならない。
【００２８】
例えば、１０Ｇビット（ＯＣ１９２）の光双方向ラインスイッチリング（ＢＬＳＲ）伝送システムの場合、ＳＴＳ１×１９２チャネル分のクロスコネクトを設定することができるが、１９２チャネル分のクロスコネクト設定を、通過（スルー）局も含めて全て実施するには多くの手作業を要し、また、誤操作による誤設定を誘発しやすい。通過（スルー）局のクロスコネクト設定を自動的に行うことができれば、クロスコネクト設定の手順は大きく改善される。
【００２９】
本発明は、ハードウェアの改版を伴うことなく、ソフトウェア又はファームウェアのみの対応で、通過（スルー）局のクロスコネクト設定を自動的に行うことができる光双方向ラインスイッチリング用伝送装置及びスルークロスコネクト設定方法を提供することを目的とする。
【課題を解決するための手段】
【００３０】
本発明は、クロスコネクトを設定する信号経路の送信元ノードから、スケルチテーブル構築用の情報領域として光オーバーヘッドに設けられているスケルチ情報領域に、送信元ノード及び送信先ノードの識別情報を格納したスケルチ情報を隣接ノードに送信し、該スケルチ情報を受信したノードでは、該スケルチ情報の送信元ノード及び送信先ノードの識別情報並びに光オーバーヘッドの設定情報から判定したコンカテネーション種別を基に、クロスコネクト設定情報を割り出し、自ノードが前記クロスコネクトの送信先ノードであるか通過ノードであるかを判定し、通過ノードであると判定された場合に、前記クロスコネクト設定情報を基に、自ノードにおけるスルークロスコネクトの設定を実行し、自ノードが前記クロスコネクトの送信先ノードであると判定された場合に、クロスコネクトの設定の要求が有る旨のメッセージをユーザーに対して通知する構成を備えたことを特徴とする。
【００３１】
また、前記スケルチ情報領域に格納された情報を、クロスコネクトの設定がなされていないときにはクロスコネクト設定用の情報として扱い、クロスコネクトの設定が既になされているときにはスケルチテーブル構築用の情報として扱うことを特徴とする。
【発明の効果】
【００３２】
本発明によれば、光双方向ラインスイッチリング（ＢＬＳＲ）伝送システムにおいて、光オーバーヘッドのスケルチ情報設定領域にクロスコネクト設定情報を格納して信号経路のノードにクロスコネクト設定情報を通知し、該信号経路の通過（スルー）ノードが該クロスコネクト設定情報を基に、クロスコネクト設定を自動的に実行することにより、各ノードのハードウェアの改版を伴うことなく、ソフトウェア又はファームウェアのみの対応で、通過局のスルークロスコネクト設定を自動的に行うことができ、通過局でのスルークロスコネクト設定の手間を省くことができるとともに、クロスコネクト設定の誤設定による誤接続を防ぐことができる。
【００３３】
また、既存の光オーバーヘッドのスケルチ情報領域を従来のスケルチ情報フォーマットのまま使用してクロスコネクト設定情報を各ノードに通知することができるため、光双方向ラインスイッチリング（ＢＬＳＲ）ネットワーク内に、本発明によるクロスコネクト設定機能を具備していない伝送装置が存在していても、その伝送装置でのみクロスコネクトの自動設定が不可となるだけで、既存の機能への弊害をもたらすことなくクロスコネクトを自動設定することができる。
【００３４】
また、スケルチ情報を従来のスケルチテーブル構築の入力情報として扱うモードとするか、本発明のようにクロスコネクト設定情報として扱うモードとするかを、例えば、装置設置時は本発明のクロスコネクト設定情報のモードとして動作させ、一旦、クロスコネクト設定により信号経路が形成された後は、従来のスケルチテーブル構築の入力情報のモードとして扱い、誤ってクロスコネクトを削除したときにスケルチテーブルのミスマッチのアラームを発生させるなどの従来機能をそのまま使用することが可能となる。
【発明を実施するための最良の形態】
【００３５】
クロスコネクト設定は、送信元ノード及び送信先ノードのアクセスＩＤ（スロット番号−ポート番号−チャネル番号）並びにコンカテネーション（連結）種別（ＳＴＳ１やＳＴＳ３Ｃ等）の情報が特定されれば、機械的に設定することができる。以下、これらの情報を取得し、通過（スルー）ノードのクロスコネクト設定を自動的に行う手順について説明する。
【００３６】
（手順１）送信元（挿入）ノードのクロスコネクト設定（従来と同様）
図１において、ノードＡ（ＩＤ＝“０１”）に、送信元（挿入）ノードとしてのクロスコネクト設定（“ＥＮＴ−ＣＲＳ−ＳＴＳ３Ｃ：：ｘ−ｘ−ｘ，６−１−１”）のコマンドを投入する。このクロスコネクト設定は、物理的な送信先は光双方向ラインスイッチリング（ＢＬＳＲ）であるものの、送信元のアクセスＩＤ（ｘ−ｘ−ｘ）は、ノードＡの装置自体では特定することができないので、従来通り、該クロスコネクトを利用するユーザーがこのクロスコネクト設定を行う。
【００３７】
（手順２）スケルチ情報の設定
従来は、クロスコネクト設定が完了した後に、ノードＡから「ＳＲＣ＝“０１”、ＤＳＴ＝不明（“ｘｘ”）」というスケルチ情報を送信していたが、本発明では、スケルチテーブルを手動で編集・設定するコマンド（ＥＤ−ＳＱＬＴＢＬ）を用いて、「チャネルｃｈ１は、ノードＡ（ＩＤ＝“０１”）が送信元で、ノードＤ（ＩＤ＝“０４”）が送信先である。」という旨のコマンド（ＥＤ−ＳＱＬＴＢＬ：：６−１−１：ＳＲＣ＝０１，ＤＳＴ＝０４）によりスケルチテーブル１−１を設定し、且つ、この設定情報を光オーバーヘッドのスケルチ情報領域（Ｄ５バイト及びＤ６バイト）に格納して後続の隣接局へ送信する。
【００３８】
（手順３）スルークロスコネクト（パス）の判別
図２に示すように、「チャネルｃｈ１は、ノードＡ（ＩＤ＝“０１”）が送信元で、ノードＤ（ＩＤ＝“０４”）が送信先である。」というスケルチ情報を、隣接ノードＢが受信すると、ノードＢは、送信先ノードＩＤ（ＤＳＴ）＝０４で、自身のノードＩＤが“０３”であることを認識し、ノードＢは通過（スルー）局であることを判別する。
【００３９】
ノードＢは、上記のスケルチ情報を受信したチャネルの入力側ポイント（この例では、Ｅａｓｔ側のスロット番号７のポート番号１のチャネル番号１）を基に、光双方向ラインスイッチリング（ＢＬＳＲ）のノード設定情報（この例では、Ｅａｓｔ側の７−１の入力側ポイントの信号がＷｅｓｔ側の８−１の出力側ポイントから出力されるという情報が設定されているものとする。）を読み出し、スルークロスコネクトの経路を決定する。この例では、７−１−１→８−１−１の信号経路となる。
【００４０】
（手順４）スルークロスコネクトのコンカテネーションの判別
次にノードＢは、チャネルｃｈ１のコンカテネーション（連結）種別（ＳＴＳ１、ＳＴＳ３Ｃ等）を判別する。この判別は、光ファイバ信号の入力デバイスにおいて、光オーバーヘッドの設定情報から判定することができる。従って、スケルチ情報を受信したチャネルの入力側ポイント（この例ではスロット番号７のポート番号１のチャネル番号１）に従って、該光入力側ポイントのコンカテネーション（連結）種別を判定する。
【００４１】
この場合、ノードＡからＳＴＳ３Ｃの信号が流れているので、ノードＢは、チャネルｃｈ１がＳＴＳ３Ｃであることを判別する。上述の手順３のスケルチ情報及び手順４のコンカテネーション情報より、ノードＢは「チャネルｃｈ１は、コンカテネーション種別ＳＴＳ３Ｃのスルークロスコネクトを設定すればよい。」と判別し、自動的に“ＥＮＴ−ＣＲＳ−ＳＴＳ３Ｃ：：７−１−１，８−１−１；”のコマンド投入を実行する。また、該当のスケルチテーブル２−２も自動的に更新する。また、ノードＣも同様に動作し、“ＥＮＴ−ＣＲＳ−ＳＴＳ３Ｃ：：５−２−１、６−２−１；”のコマンド投入を自動的に実行するとともにスケルチテーブル２−３も自動的に更新する。
【００４２】
これによって、図２に示すように、ノードＢ及びノードＣは、Ｅａｓｔ側及びＷｅｓｔ側の光入力側及び出力側ポイントに、チャネルｃｈ１〜３に対して、送信元ノードＩＤ（ＳＲＣ）“０１”、送信先ノードＩＤ（ＤＳＴ）“０４”のスケルチテーブルを設定するとともにクロスコネクト設定を自動的に行う。
【００４３】
（手順５）送信先（分岐）ノードでのクロスコネクト設定の通知
「チャネルｃｈ１はノードＡ（ＩＤ＝“０１”）が送信元で、ノードＤ（ＩＤ＝“０４”）が送信先である」というスケルチ情報を、最終的にノードＤが受信すると、送信先ノードＩＤ（ＤＳＴ）＝“０４”で、ノードＤ自身のノードＩＤが“０４”であることから、ノードＤは送信先ノード（分岐局）であることを判別する。また、前述した手法と同様の手法によりコンカテネーション（連結）種別を判定して、「チャネルｃｈ１において、ノードＡ（ＩＤ＝“０１”）からＳＴＳ３Ｃのクロスコネクト設定要求が有ります。」という旨のメッセージをユーザー通知する。このメッセージにより、ノードＤにおいてユーザーは間違えることなくクロスコネクト設定を実施することができる。
【００４４】
従って、図３に示すように、ノードＤは、スケルチテーブルにＥａｓｔ側にチャネルｃｈ１〜３に対して、送信元ノードＩＤ（ＳＲＣ）＝“０１”、送信先ノードＩＤ（ＤＳＴ）＝“０４”を設定し、また、ユーザーによるクロスコネクト設定コマンドの投入により、クロスコネクトが設定される。
【００４５】
上記の動作の処理フローを図４に示す。同図に示すように、挿入（Ａｄｄ）局では、クロスコネクト設定コマンド“ＥＮＴ−ＣＲＳ”を受信し(ステップ４-１）、該コマンドに従ってクロスコネクトを設定し（ステップ４−２）、手動設定によるスケルチテーブル編集コマンド“ＥＤ−ＳＱＬＴＢＬ”を受信すると（ステップ４−３）、該コマンドに従ってスケルチテーブルを構築し（ステップ４−４）、かつ、スケルチ情報を隣接ノードへ送信する（ステップ４−５）。
【００４６】
通過（Ｔｈｒｏｕｇｈ）局では、スケルチ情報受信し（ステップ４−６）、送信先ノードＩＤ（ＤＳＴ）が自局宛か否かを判定し（ステップ４−７）自局宛てでないと判定されたときは、コンカテネーション種別を判定し（ステップ４−８）、スルークロスコネクト設定を実行し（ステップ４−９）、スケルチテーブルを構築し（ステップ４−１０）、スケルチ情報を次のノードへそのまま（スルー）送信する。これらの動作を、通過（スルー）局の数分だけステップ４−６から同様に繰り返す。
【００４７】
分岐（Ｄｒｏｐ）局は、前述のステップ４−７により送信先ノードＩＤ（ＤＳＴ）が自局宛であると判定されるので、その後、分岐（Ｄｒｏｐ）局は、コンカテネーション種別を判定し（ステップ４−１２）、スケルチテーブルを構築し（ステップ４−１３）、クロスコネクト設定の要求が有る旨のメッセージをユーザーへ通知し（ステップ４−１４）、ユーザーは該メッセージを基に分岐（Ｄｒｏｐ）局におけるクロスコネクト設定のコマンドを投入する。
【図面の簡単な説明】
【００４８】
【図１】本発明における送信元ノードのクロスコネクト設定の説明図である。
【図２】本発明における通過ノードのスルークロスコネクト設定の説明図である。
【図３】本発明における送信先ノードのクロスコネクト設定の説明図である。
【図４】本発明のクロスコネクト設定及びスケルチテーブル構築の処理フローを示す図である。
【図５】光双方向ラインスイッチトリング（ＢＬＳＲ）伝送システムの構成例を示す図である。
【図６】クロスコネクト設定の説明図である。
【図７】スケルチテーブル構築の説明図である。
【図８】光オーバーヘッドのＤ５バイト及びＤ６バイトのフォーマットを示す図である。
【符号の説明】
【００４９】
Ａ〜Ｄ  ノード
１−１，２−２，２−３，３−４  スケルチテーブル
【図１】
2008182616.tif 000003
【図２】
2008182616.tif 000004
【図３】
2008182616.tif 000005
【図４】
2008182616.tif 000006
【図５】
2008182616.tif 000007
【図６】
2008182616.tif 000008
【図７】
2008182616.tif 000009
【図８】
2008182616.tif 000010